(57)【特許請求の範囲】
【請求項１】
押出し型材からなる複数の単位パネルを支柱を介在させずに上下左右に連結して構成する積上げ式間仕切装置であって、左右単位パネルの各側端面の上下端部に、上連結具と下連結具を係止するとともに、該上連結具と下連結具をネジ式の締結具で引き付けて左右連結するとともに、前記下連結具の下部と前記上連結具の上部とにそれぞれ互いに上下に係合する第１係合部と第２係合部を形成し、下段の単位パネルの上連結具と上段の単位パネルの下連結具を、第１係合部と第２係合部の係合によって上下連結してなることを特徴とする積上げ式間仕切装置。
【請求項２】
押出し型材からなる複数の単位パネルを連結手段にて上下左右に連結して構成する積上げ式間仕切装置であって、前記単位パネルは、下端部に下嵌合部を形成するとともに、上端部に前記下嵌合部に凹凸嵌合してパネル面外方向の変位を規制する上嵌合部を形成し、更に両側端面に形成した凹溝部の下端部に下係止部を形成するとともに、該凹溝部の上端部に上係止部を形成し、前記連結手段として、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成し、下段の単位パネルと上段の単位パネルを連結してなる請求項１記載の積上げ式間仕切装置。
【請求項３】
前記単位パネルは、表面板と裏面板とが前記下嵌合部と上嵌合部及び単又は複数の連結部で連結された中空形状であり、両側切断面において中央部に凹溝を形成し、両側に切断面を覆う鍔部と前記凹溝部を設けた端部部材を、該凹溝部を凹溝に嵌合するとともに、前記連結部にネジ止めし、該端部部材の凹溝部内に前記下係止部と上係止部を形成してなる請求項２記載の積上げ式間仕切装置。
【請求項４】
複数の前記単位パネルを下嵌合部と上嵌合部を互いに凹凸嵌合するとともに、これら複数の単位パネルの凹溝に、各凹溝に亘る長さを有する前記端部部材を嵌合するとともに、各単位パネルにネジ止めして一体化してなる請求項３記載の積上げ式間仕切装置。
【請求項５】
前記下連結具の第１係合部が係合凹部であり、前記上連結具の第２係合部が側面視略Ｔ字形の係合凸部であり、それぞれパネル面内方向にスライド係合する構造である請求項２〜４何れかに記載の積上げ式間仕切装置。
【請求項６】
前記下連結具の第１係合部が側面視略Ｔ字形の係合凸部であり、前記上連結具の第２係合部が係合凹部であり、それぞれパネル面内方向にスライド係合する構造である請求項２〜４何れかに記載の積上げ式間仕切装置。
【請求項７】
前記締結具は、連結軸とネジとからなり、該連結軸の上端に軸方向に螺孔を形成するとともに、該連結軸の下端部を前記下連結具に回転不能に固定し、上端部を前記上連結具に上下スライド可能に嵌合するとともに、該上連結具を貫通させたネジを前記螺孔に螺合するものである請求項５又は６記載の積上げ式間仕切装置。
【請求項８】
前記単位パネルの上下縁に沿って係止縁を形成し、上下に位置する単位パネルの係止縁を対向させ且つその間に開口部を設けて上下の単位パネル間に沿ってハンギング溝を形成してなる請求項２〜７何れかに記載の積上げ式間仕切装置。
【発明の詳細な説明】
【技術分野】
【０００１】
本発明は、積上げ式間仕切装置に係わり、更に詳しくは単位パネルを所望の高さに積上げて上下及び左右に連結する積上げ式間仕切装置に関するものである。
【背景技術】
【０００２】
従来から間仕切パネル同士を、支柱を介在させずに順次連結する構造のパネルの組立構造は提供されている。例えば、特許文献１には、パネルの縦枠の側端に外方へ開放してなる縦方向の凹溝部を設けるとともに、該凹溝部の下部に係止片を設け、隣接するパネルの縦枠同士を接合するとともに、両係止片を引き離し不能に係合した状態で、両縦枠の相対向した凹溝部の上端に連結具のテーパー溝を上方から嵌合するとともに、連結具の下方にあって両縦枠の開口で係止された係合片に、連結具の貫通孔に上方から挿通したボルトを係合片の螺孔にネジ込むことで、互いに近接させて締め付けるパネルの組立構造が開示されている。
【０００３】
また、特許文献２には、パネルの側端面に、中央部に沿って凹溝部を設けた枠ハンガーを固定し、該枠ハンガーの上方に上面が傾斜したくさび面を有する上方のくさびブロックを取付けるとともに、該枠ハンガーの下方に下面が傾斜したくさび面を有する下方のくさびブロックを固定し、両パネルの枠ハンガー同士を接合し、両下方のくさびブロックのくさび面に下方の引き付けブロックの傾斜した引き付け面を係合するとともに、両上方のくさびブロックのくさび面に上方の引き付けブロックの傾斜した引き付け面を係合し、上方の引き付けブロックの上下貫通孔に上方から相通し、前記凹溝部内に位置させた引き付け棒の下端のネジ部を下方の引き付けブロックに固定した筒状受け体のネジ穴に螺合し、両パネルを接近する方向に引き付けて連結する構造が開示されている。
【０００４】
しかし、特許文献１、２に記載のものは、パネルを上下に積み重ねて連結する構造ではない。また、これらのパネルは、何れも縦枠と横枠とで構成されたフレームの表裏両面にパネル板を固定した構造のものであり、複数種類の横幅の異なるパネルを用意するには、少なくとも横枠とパネル板をそれに応じた寸法のものを製作しなければならず、豊富な商品展開並びに高い拡張性、自由度を確保しようとすれば大幅なコスト高となることは避けられない。
【０００５】
尚、間仕切パネルの上部に、パネルを延長して取付けるものも存在するが、上部パネルを下部パネルの上縁に凹凸嵌合するとともに、該上部パネルを上下に貫通させたボルトを下部パネルの上端の横枠に螺合する構造のものは提案されている。
【特許文献１】実開平０５−０４７１１４号公報
【特許文献２】特許第２８７３３０６号公報
【発明の開示】
【発明が解決しようとする課題】
【０００６】
そこで、本発明が前述の状況に鑑み、解決しようとするところは、複数の単位パネルを簡単且つ強固な連結構造によって上下及び左右に順次連結して所望の高さ及び長さの間仕切装置を構築することができ、またコスト上昇を最小限に抑制して横幅に対する豊富な商品展開が可能であり、更にこれまでにない斬新な形態を実現することが可能な積上げ式間仕切装置を提供する点にある。
【課題を解決するための手段】
【０００７】
本発明は、前述の課題解決のために、押出し型材からなる複数の単位パネルを支柱を介在させずに上下左右に連結して構成する積上げ式間仕切装置であって、左右単位パネルの各側端面の上下端部に、上連結具と下連結具を係止するとともに、該上連結具と下連結具をネジ式の締結具で引き付けて左右連結するとともに、前記下連結具の下部と前記上連結具の上部とにそれぞれ互いに上下に係合する第１係合部と第２係合部を形成し、下段の単位パネルの上連結具と上段の単位パネルの下連結具を、第１係合部と第２係合部の係合によって上下連結してなることを特徴とする積上げ式間仕切装置を構成した（請求項１）。
【０００８】
より具体的には、押出し型材からなる複数の単位パネルを連結手段にて上下左右に連結して構成する積上げ式間仕切装置であって、前記単位パネルは、下端部に下嵌合部を形成するとともに、上端部に前記下嵌合部に凹凸嵌合してパネル面外方向の変位を規制する上嵌合部を形成し、更に両側端面に形成した凹溝部の下端部に下係止部を形成するとともに、該凹溝部の上端部に上係止部を形成し、前記連結手段として、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成し、下段の単位パネルと上段の単位パネルを連結したのである（請求項２）。
【０００９】
ここで、前記単位パネルは、表面板と裏面板とが前記下嵌合部と上嵌合部及び単又は複数の連結部で連結された中空形状であり、両側切断面において中央部に凹溝を形成し、両側に切断面を覆う鍔部と前記凹溝部を設けた端部部材を、該凹溝部を凹溝に嵌合するとともに、前記連結部にネジ止めし、該端部部材の凹溝部内に前記下係止部と上係止部を形成してなることが好ましい（請求項３）。
【００１０】
また、複数の前記単位パネルを下嵌合部と上嵌合部を互いに凹凸嵌合するとともに、これら複数の単位パネルの凹溝に、各凹溝に亘る長さを有する前記端部部材を嵌合するとともに、各単位パネルにネジ止めして一体化してなることも好ましい（請求項４）。
【００１１】
そして、前記下連結具の第１係合部が係合凹部であり、前記上連結具の第２係合部が側面視略Ｔ字形の係合凸部であり、それぞれパネル面内方向にスライド係合する構造である（請求項５）。
【００１２】
あるいは、前記下連結具の第１係合部が側面視略Ｔ字形の係合凸部であり、前記上連結具の第２係合部が係合凹部であり、それぞれパネル面内方向にスライド係合する構造である（請求項６）。
【００１３】
そして、前記締結具は、連結軸とネジとからなり、該連結軸の上端に軸方向に螺孔を形成するとともに、該連結軸の下端部を前記下連結具に回転不能に固定し、上端部を前記上連結具に上下スライド可能に嵌合するとともに、該上連結具を貫通させたネジを前記螺孔に螺合するものであるとより好ましい（請求項７）。
【００１４】
更に、前記単位パネルの上下縁に沿って係止縁を形成し、上下に位置する単位パネルの係止縁を対向させ且つその間に開口部を設けて上下の単位パネル間に沿ってハンギング溝を形成してなることも好ましい（請求項８）。
【発明の効果】
【００１５】
以上にしてなる請求項１に係る発明の積上げ式間仕切装置は、単位パネルは、押出し型材で作製するので、上下の嵌合部の精度が高く、ガタツキのない凹凸嵌合を実現でき、更に適宜な長さに切断するだけで簡単に横幅の異なるものを製造できる。そして、左右単位パネルの各側端面の上下端部に、上連結具と下連結具を係止するとともに、該上連結具と下連結具をネジ式の締結具で引き付けて左右連結するとともに、前記下連結具の下部と前記上連結具の上部とにそれぞれ互いに上下に係合する第１係合部と第２係合部を形成し、下段の単位パネルの上連結具と上段の単位パネルの下連結具を、第１係合部と第２係合部の係合によって上下連結してなるので、支柱を介在させずに上下左右に連結することができ、所望の高さの間仕切装置を構成でき、更に段違い等の間仕切装置を構成することも簡単である。
【００１６】
請求項２によれば、左右に配した両単位パネルの各凹溝部の下端部に形成した下係止部に、下連結具の両係止爪部を下方から同時に係止するとともに、各凹溝部の上端部に形成した上係止部に、上連結具の両係止爪部を上方から同時に係止し、前記凹溝部内に位置させたネジ式の締結具で前記下連結具と上連結具を引き付けることによって、左右の単位パネルを強固に連結することができ、また既に左右に連結した単位パネルの上段に単位パネルを連結するには、下段の単位パネルの連結に使用した上連結具の第２係合部に、上段の単位パネルを左右に連結するために使用する下連結具の第１係合部を上下変位不能に係合するとともに、下段の単位パネルの上端部の上嵌合部と上段の単位パネルの下端部の下嵌合部を凹凸嵌合することにより、上下に強固に連結することができ、これらの連結手段により順次単位パネルを上下左右に簡単に連結することができる。そして、本発明によれば、コスト上昇を最小限に抑制して横幅に対する豊富な商品展開ができ、更にこれまでにない斬新な形態を実現することができる。
【００１７】
請求項３によれば、単位パネルは、表面板と裏面板とが前記下嵌合部と上嵌合部及び単又は複数の連結部で連結された中空形状であるので、軽量且つ強度が高いので、横幅は大きなものも作製することができ、また型材の両側切断面は中央部に凹溝を形成する後加工のみであり、該凹溝に端部部材の凹溝部を嵌合しネジ止めすることにより、端部部材の両側鍔部で切断面を覆うことができ、また端部部材の凹溝部内に連結手段による連結に用いる下係止部と上係止部を形成するので、締結具による引き付け方向に端部部材の長尺方向が向くので強度が非常に高く、単位パネルが変形することがないのである。尚、単位パネルを左右に連結する際に、端部部材の鍔部同士が接合するが、この鍔部に凹凸嵌合する構造を形成しておくことにより、パネル面外方向のズレを防止することができる。
【００１８】
請求項４によれば、予め複数の単位パネルを上下に凹凸嵌合し、複数の単位パネルの凹溝に、各凹溝に亘る長さを有する前記端部部材を嵌合するとともに、各単位パネルにネジ止めして一体化することにより、施工現場での作業の手間が省けるばかりでなく、共通の端部部材で複数の単位パネルを同時にネジ止めして一体化するので、パネル面外方向の曲げに対して強度が高くなる。
【００１９】
請求項５によれば、下段の単位パネルの左右連結に供した上連結具の第２係合部としての側面視略Ｔ字形の係合凸部に、上段の単位パネルの左右連結に使用する下連結具の第１係合部としての係合凹部を、パネル面内方向にスライド係合するだけで上下変位不能に係合することができ、上段の左右の単位パネルを連結手段で連結すると同時に上下方向の連結も達成できるので、連結作業が容易である。
【００２０】
請求項６によれば、下段の単位パネルの左右連結に供した上連結具の第２係合部としての係合凹部に、上段の単位パネルの左右連結に使用する下連結具の第１係合部としての側面視略Ｔ字形の係合凸部を、パネル面内方向にスライド係合するだけで上下変位不能に係合することができ、上段の左右の単位パネルを連結手段で連結すると同時に上下方向の連結も達成できるので、連結作業が容易である。
【００２１】
請求項７によれば、前記締結具は、連結軸とネジとからなり、該連結軸の上端に軸方向に螺孔を形成するとともに、該連結軸の下端部を前記下連結具に回転不能に固定し、上端部を前記上連結具に上下スライド可能に嵌合するとともに、該上連結具を貫通させたネジを前記螺孔に螺合するものであるので、締結具の上下長さが長くなっても締結作業が容易にあり、間仕切装置の施工効率が飛躍的に高くなる。
【００２２】
請求項８によれば、単位パネルを上下に連結することにより、両単位パネル間に自動的にハンギング溝を形成することができ、このハンギング溝を利用して化粧パネルや黒板、ホワイトボード等のボードを始め、各種のオプションを表面に沿って取付けることができる。また、上下の単位パネルを連結することによって必然的に生じる接合線をハンギング溝によって目立たなくすることができる。
【発明を実施するための最良の形態】
【００２３】
次に、添付図面に示した実施形態に基づき、本発明を更に詳細に説明する。図１〜図８は本発明に係る積上げ式間仕切装置の第１実施形態を示し、図中符号１は単位パネル、２は下連結具、３は上連結具、４は締結具をそれぞれ示している。
【００２４】
本発明に係る積上げ式間仕切装置は、アルミ押出し型材からなる複数の単位パネル１，…を下連結具２、上連結具３及び締結具４とからなる連結手段にて上下左右に連結して所望の高さ及び長さの間仕切装置を構成するものである。更には、同じくアルミ押出し型材からなる笠木部材５、笠木カバー６及び巾木部材７が、直線状に連結して間仕切装置を構築するための最小構成となる。それ以外に、パネル終端面の処理やＬ字状、Ｔ字状あるいは十字状に連結するための端部カバーやコーナーポスト及びポストカバー等が必要であるが、これらの構成については後述する。尚、アルミ押出し型材の代わりに、合成樹脂製の押出し型材を用いることも可能である。
【００２５】
先ず、図１〜図８に示すように、前記単位パネル１は、上下幅が２００ｍｍを基本寸法とし、横幅はアルミ押出し型材を適宜な長さに切断して４５０〜３６００ｍｍまでの範囲で複数種類を作製する。何れの横幅の単位パネル１も両端部の後加工は共通する。具体的には、前記単位パネル１は、表面板８と裏面板９とが下嵌合部１０と上嵌合部１１及び単又は複数の連結部１２，…で連結された中空形状であり、両側切断面において中央部に凹溝１３を形成し、両側に切断面を覆う鍔部１５と凹溝部１６を設けた端部部材１４を、該凹溝部１６を凹溝１３に嵌合するとともに、前記連結部１２，…にネジ止めし、該端部部材１４の凹溝部内に下係止部１７と上係止部１８を形成したものである。
【００２６】
実際には、前記凹溝１３は、下嵌合部１０と上嵌合部１１及び単又は複数の連結部１２，…の中央部を切り欠いて形成する。そして、前記連結部１２の中央部に一体形成された断面Ｃ字形の下穴１９に前記端部部材１４の凹溝部１６の底部から貫通させたタッピンねじ２０を螺合して取付ける。また、前記端部部材１４の凹溝部１６の両側壁の途中部から互いに対向する方向に一対のリブ２１，２１を突設し、該リブ２１，２１の下端部を切り欠いて前記下係止部１７を形成するとともに、該リブ２１，２１の上端部を切り欠いて前記上係止部１８を形成している。
【００２７】
そして、前記単位パネル１の下嵌合部１０と上嵌合部１１は、互いに凹凸嵌合してパネル面外方向の変位を規制する構造となっている。具体的には、前記下嵌合部１０には下方へ開放した係合溝２２，２２を形成し、前記上嵌合部１１には前記下嵌合部１０の係合溝２２に係入する上方へ突設した突片２３，２３を突設している。更に、前記単位パネル１の表面板８と裏面板９の上下縁に沿って係止縁２４，…を形成し、上下に位置する単位パネル１，１の係止縁２４，２４を対向させ且つその間に開口部２５を設けて上下の単位パネル間に沿ってハンギング溝２６を形成するようになっている。尚、前記ハンギング溝２６は、前記係止縁２４の他に前記下嵌合部１０と上嵌合部１１の一部も使用して構成され、上下の単位パネル１，１の接合線が該ハンギング溝２６の開口部２５の上縁に一致するように設定し、接合線が見立たないようにしている。同様に、前記笠木部材５と単位パネル１間、前記巾木部材７と単位パネル１間にもハンギング溝２６が形成される。
【００２８】
次に、前記単位パネル１，１を上下左右に連結する連結構造について、図１〜図３に基づいて詳細に具体的に説明する。本発明の場合、連結部には支柱を介在させず、共通の連結手段で上下方向の連結と左右方向（横方向）の連結を同時に実現することが特徴である。前記下連結具２は、ブロック状の金属部材であり、両側に前記下係止部１７に下方から係止する係止爪部２７，２７を上部に有するとともに、上部中央部に筒部を突設して角孔２８を形成し、該角孔２８の内部に上下貫通した通孔２９を形成し、更に下部に第１係合部３０を形成している。
【００２９】
一方、前記上連結具３は、ブロック状の金属部材であり、両側に前記上係止部１８に上方から係止する係止爪部３１，３１を下部に有するとともに、下部中央部に筒部を突設して角孔３２を形成し、該角孔３２の内部に上下貫通した通孔３３を形成し、更に上部に第２係合部３４を形成している。ここで、前記下連結具２の第１係合部３０が内部よりも開口部が狭い係合凹部であり、前記上連結具３の第２係合部３４が側面視略Ｔ字形の係合凸部であり、パネル面内方向にスライド係合してそれぞれ互いに上下変位不能に係合する構造である。
【００３０】
そして、前記締結具４は、前記下連結具２の角孔２８と前記上連結具３の角孔３２に上下摺動可能に嵌入する断面正方形の連結軸３５と締結ネジ３６，３６とからなり、前記連結軸３５の両端部に軸方向に螺孔３７を形成している。前記締結具４の下端部を前記下連結具２の角孔２８に嵌合し、締結ネジ３６を下方から通孔３３に通して螺孔３７に螺合する。また、前記締結具４の上端部を前記上連結具３の角孔３２に嵌合し、締結ネジ３６を上方から通孔３３に通して螺孔３７に螺合する。ここで、前記締結具４は、全て両端部部材１４，１４の凹溝部１６，１６内に収容されるようになっている。
【００３１】
そして、前記単位パネル１，…を上下左右に連結するには、下段から上段へ順次締結具４を用いて行う。先ず、前記連結軸３５の下端部を下連結具２に連結した状態で、該下連結具２の両係止爪部２７，２７を、左右の単位パネル１，１の端部同士、具体的にはそれぞれの端部部材１４，１４の鍔部１５，１５同士を接合し、各端部部材１４，１４の下係止部１７，１７に係止する。この際に、前記連結軸３５は凹溝部１６，１６で形成される縦孔内に立起状態で位置する。それから、上方から前記上連結具３の角孔２８内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３７に螺合する。この締結ネジ３６を締め付けることにより、下連結具２と上連結具３を引き付けるとともに、前記係止爪部２７，２７及び係止爪部３１，３１の傾斜を利用して左右の単位パネル１，１を引き寄せて連結するのである。
【００３２】
ここで、前記端部部材１４の一方の鍔部１５には、凹溝部１６の開口部に沿って突条１５Ａを形成するととともに、他方の鍔部１５には、凹溝部１６の開口部に沿って条溝１５Ｂを形成している。そして、左右の単位パネル１，１を連結する際に、各端部部材１４，１４の鍔部１５，１５を接合すると、前記突条１５Ａと条溝１５Ｂが係合し、パネル面外方向への変位を規制し、正確な位置で連結することができるようになっている。
【００３３】
そして、既に左右に連結した単位パネル１，…の上段に単位パネル１，１を連結するには、図１に示すように、下段の単位パネル１，１の連結に用いた上連結具３を利用する。具体的には、前記連結軸３５の下端部を下連結具２に連結した状態で、該下連結具２の第１係合部３０を、下段の連結に用いた上連結具３の第２係合部３４にパネル面内方向からスライド係合させて立起状態に維持し、その状態で両単位パネル１，１の下嵌合部１０を、下段の単位パネル１，１の上嵌合部１１に載置して凹凸嵌合するとともに、各端部部材１４，１４の下係止部１７，１７を下連結具２の両係止爪部２７，２７に係合させる。その後は、前記同様に上方から前記上連結具３の角孔２８内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３７に螺合する。すると、前記下連結具２が引き上げられ、該第１係合部３０が下方の上連結具３の第２係合部３４に強く係合する。この際、前記下連結具２の両係止爪部２７，２７が各端部部材１４，１４の下係止部１７，１７に同時に強く接触するように寸法設定することが好ましい。
【００３４】
次に、前記笠木部材５と巾木部材７とを連結する構造を図１、図４、図５〜図８に基づいて簡単に説明する。前記笠木部材５、笠木カバー６及び巾木部材７は、アルミ押出し型材から作製されており、前記単位パネル１の横幅に応じて適宜長さに切断される。前記笠木部材５の下部の嵌合部３８の形状は、前記単位パネル１の下嵌合部１０の形状と一致し、また前記巾木部材７の上部の嵌合部３９の形状は、前記単位パネル１の上嵌合部１１の形状と一致している。
【００３５】
前記笠木部材５を最上段の単位パネル１の上端に取付けるには、該笠木部材５の底面を貫通させたネジ４０の下部に長方形の係止片４１の中央部を螺合し、前記単位パネル１の上嵌合部１１の両突片２３，２３の間から前記係止片４１を内部に挿入し、前記ネジ４０を締め付けることにより、該係止片４１が約８０度回転して該突片２３，２３の下部に係止され、更に締め付けることにより笠木部材５の嵌合部３８と単位パネル１の上嵌合部１１が強固に嵌合する。そして、前記笠木部材５の上部には両側縁を除いて凹陥部４２が形成されているので、該凹陥部４２内に複数の保持具４３を回転係止し、該保持具４３，…に前記笠木カバー６を嵌着して凹陥部４２を塞いでいる。
【００３６】
前記巾木部材７は、両端部に前記単位パネル１の凹溝１３と同様な凹溝４４を形成し、該凹溝４４に上段の単位パネル１の端部部材１４の下方延長部を嵌合し、前記同様にネジ止めするとともに、上部の嵌合部３９を単位パネル１の下嵌合部１０に凹凸嵌合する。尚、前記巾木部材７には適宜アジャスター４５を設けている。
【００３７】
ここで、本発明に係る間仕切装置は、現場で順次積上げて構築することが特徴であるが、下部は最小限の高さが必要であるので、当該巾木部材７と１枚〜４枚の単位パネル１，…を予め工場出荷時点で連結しておくことも好ましい。その場合には、長尺の前記端部部材１４，１４を用いて巾木部材７と単位パネル１，…を上下に連結する。あるいは、取り扱いができる程度に、複数の単位パネル１，…を上下に凹凸嵌合するとともに、両端の各凹溝１３，…に亘って長尺の端部部材１４，１４の凹溝部１６を嵌合し、タッピンねじ２０で強固に連結して一体物の複合パネルを形成し、これを単位パネル１と同様に扱って前述のように上下左右に連結することも可能である。そして、この複合パネルを左右に連結するには、上下高さに応じた長尺の連結軸３５を用意するだけで良く、その他の下連結具２や上連結具３は共通のものを使用できる。
【００３８】
前記笠木部材５の端部には、合成樹脂製の笠木キャップ４６を嵌着して端部を閉塞している。尚、前記笠木キャップ４６のフランジ部４７の厚さは、前記端部部材１４の鍔部１５の厚さと一致させ、また内部には前記上連結具３を収容する凹部４８を設けている。
【００３９】
このように複数の単位パネル１，…を上下左右に連結した状態は、図８に主要部分を示している。この場合、上下の単位パネル１，１間に形成したハンギング溝２６は左右に連続して目地部を兼ねている。また、左右の単位パネル１，１間には端部部材１４，１４の鍔部１５，１５が重なって存在している以外に何もなく、すっきりとした外観となっている。同様に、最上段の単位パネル１と笠木部材５との間にも前記同様なハンギング溝２６が設けられている。また、最下段の単位パネル１と前記巾木部材７との間にも前記同様なハンギング溝２６が設けられている。前記単位パネル１の表面板８と裏面板９、笠木部材５及び巾木部材７の側面は、横方向に延び、上下方向に繰り返しの波形面となっており、全体として統一的な意匠を構成している。
【００４０】
図９は、左右方向に連結した単位パネル１，１で笠木部材５を装着する前の状態を示している。図１０は、終端部に位置する単位パネル１の端部に平面視コ字形の端部カバー４９を連結部材５０を介して取付けた状態を示している。図１１は、二つの単位パネル１，１をコーナーポスト５１とスペーサー５２を介してＬ字状に連結するとともに、コーナーポスト５１を平面視Ｌ字形のポストカバー５３で覆ったＬ字状連結状態を示している。図１２は、三つの単位パネル１，…をコーナーポスト５１と二つのスペーサー５２を介してＴ字状に連結するとともに、コーナーポスト５１を平面視直線状のポストカバー５４で覆ったＴ字状連結状態を示している。そして、図１３は、四つの単位パネル１，…をコーナーポスト５１と三つのスペーサー５２を介して十字状に連結した十字状連結状態を示している。これらの連結状態において全てコーナーポスト５１とスペーサー５２は共通部材である。
【００４１】
先ず、図１４及び図１７に基づいて、終端部の処理を説明する。前記平面視コ字形の端部カバー４９は、前記単位パネル１の表面と同じ波形面を形成したアルミ押し出し型材を加工して形成したものである。前記端部カバー４９の内側の少なくとも上部に係止部５５を形成し、上下縁には前記単位パネル１の係止縁２４と同様な端縁５６，５６を形成している。前記連結部材５０は、前記端部部材１４と略同じ断面を持つアルミ押し出し型材から作製し、凹溝部５７と両側に鍔部５８，５８を有している。この連結部材５０の鍔部５８，５８と単位パネル１の端部部材１４の鍔部１５，１５を接合した際に、前記同様にパネル面外方向へズレないように凹凸嵌合するようにしている。そして、前記連結部材５０の凹溝部５７の内部の下端部に前記同様な下係止部５９を形成し、上端部に上係止部６０を形成し、前記下連結具２、上連結具３及び締結具４を用いて端部部材１４に連結部材５０を連結できるようにしている。前記連結部材５０の凹溝部５７の上端部の底部に係止具６１を取付け、該係止具６１に前記端部カバー４９の係止部５５を係止するとともに、該端部カバー４９の下端４９Ａを下段の端部カバー４９の上端４９Ｂに凹凸嵌合して保持する。ここで、上下の端部カバー４９，４９の端縁５６，５６の間には、図１７に示すように、前記ハンギング溝２６に連続する横溝６２が形成される。また、最上段の端部カバー４９の上端と前記笠木部材５の端部の空間部には、上端キャップ６３を取付け、該上端キャップ６３と最上段の端部カバー４９の間にも前記同様な横溝６２が形成されるようになっている。尚、上下の端部カバー４９，４９同士は凹凸嵌合させなくも良く、その場合には上下縁に単に端縁５６，５６のみを形成する。また、前記単位パネル１を左右で高さを段違いに連結する場合もある。その場合には、高い方の単位パネル１の側端には前記端部部材１４を連結して端部を隠蔽する。
【００４２】
次に、図１５、図１６及び図１８に基づいて、Ｌ字状連結部の構造を説明する。前述のように、コーナーポスト５１とスペーサー５２を用いて連結し、該コーナーポスト５１の外面に平面視Ｌ字形のポストカバー５３を取付けるようになっている。前記コーナーポスト５１は、アルミ押し出し型材から作製し、中央部に四角形の筒部６４を有し、その四隅から放射状に鉤片６５，…が延び、一対の鉤片６５，６５で前記連結部材５０の凹溝部５７と同様な凹溝部６６を形成するとともに、その両端部に鍔部６７，６７を一体形成した概略形状である。そして、前記コーナーポスト５１の凹溝部６６内の下端部と上端部にそれぞれ下係止部６８と上係止部６９を形成し、前記同様に下連結具２、上連結具３及び締結具４を用いて単位パネル１の端部部材１４に連結できるようになっている。前記コーナーポスト５１のその他の三方面は、前記凹溝部６６が途中で切断された形状であり、この部分に前記スペーサー５２を接合できるようになっているとともに、前記係止具６１を取付けることができるように対向する両鉤片６５，６５の内向きリブ７０，７０に切欠部７１を形成するとともに、下端部に下係止部７２と上端部に上係止部７３を形成している。前記スペーサー５２は、アルミ押し出し型材から作製し、中央部に溝形状の接合部７４を有し、その両側に前記端部部材１４の鍔部１５，１５と同様な鍔部７５，７５を形成している。尚、前記スペーサー５２の接合部７４の上下端部は、前記端部部材１４の下連結部１７と上係止部１８と同じ位置に切欠部７６，７６を設け、前記下連結具２と上連結具３を受け入れることができるようになっている。前記ポストカバー５３は、前記端部カバー４９と同一断面形状の型材を加工して、平面視Ｌ字形に成形したものであり、内面の上部に係止部７７を有するとともに、下端５３Ａと上端５３Ｂとは互いに凹凸嵌合する形状となっている。尚、上下のポストカバー５３，５３同士は凹凸嵌合させなくも良く、その場合には上下縁に前記単位パネル１の係止縁２４と同様な端縁のみを形成する。
【００４３】
そして、前記コーナーポスト５１の鍔部６７，６７を有する側に単位パネル１の端部部材１４を接合して前記同様に下連結具２、上連結具３及び締結具４にて連結するとともに、その片隣りの面の両鉤片６５，６５に前記スペーサー５２の接合部７４を当接し、該スペーサー５２の鍔部７５，７５に他の単位パネル１の端部部材１４の鍔部１５，１５を接合した状態で、前記同様に下連結具２、上連結具３及び締結具４にて連結する。前記コーナーポスト５１の残りの二面の切欠部７１，７１にそれぞれ前記係止具６１，６１を取付け、前記ポストカバー５３の係止部７７を係止し、下端５３Ａを下段のポストカバー５３の上端５３Ｂに凹凸嵌合して保持する。前記同様に、上下のポストカバー５３，５３の間には、前記ハンギング溝２６に連続する横溝７８が形成され、上端キャップ７９と最上段のポストカバー５３の間にも横溝７８が形成されている。
【００４４】
また、図１９に示すように、Ｔ字状連結部においては、前述のＬ字状連結部と略同じであるが、ポストカバー５４が直線状の平面視形状を有している。前記コーナーポスト５１の鍔部６７，６７を有する側に単位パネル１の端部部材１４を接合して前記同様に下連結具２、上連結具３及び締結具４にて連結するとともに、その両隣りの面の両鉤片６５，６５にそれぞれ前記スペーサー５２の接合部７４を当接し、該スペーサー５２の鍔部７５，７５に他の単位パネル１の端部部材１４の鍔部１５，１５を接合した状態で、前記同様に下連結具２、上連結具３及び締結具４にて連結する。前記コーナーポスト５１の残りの一面には、前記切欠部７１に前記係止具６１を取付け、前記ポストカバー５４を係止するとともに、下段のポストカバー５４と嵌合する。そして、前記同様に上下のポストカバー５４，５４の間には、前記ハンギング溝２６に連続する横溝８０が形成され、上端キャップ８１と最上段のポストカバー５４の間にも横溝８０が形成されている。
【００４５】
そして、十字状連結部の連結構造は図示しないが、この場合には前記コーナーポスト５１の４面に単位パネル１，…を連結するので、前述のような端部カバーは不要である。つまり、前記コーナーポスト５１の鍔部６７，６７を有する側に単位パネル１の端部部材１４を接合して前記同様に下連結具２、上連結具３及び締結具４にて連結するとともに、残りの三面の両鉤片６５，６５に前記スペーサー５２の接合部７４を当接し、該スペーサー５２の鍔部７５，７５に他の単位パネル１の端部部材１４の鍔部１５，１５を接合した状態で、前記同様に締結具４にて連結する。
【００４６】
また、前記コーナーポスト５１の両側で単位パネル１の高さが異なる段違いの態様もある。その場合には、前記コーナーポスト５１の露出面もポストカバーで覆う必要がある。Ｌ字状連結の場合に必用なコーナーポストは平面視コ字形となり、Ｔ字状連結の場合に必用なコーナーポストは平面視Ｌ字形と平面視コ字形となる。更に、十字状連結の場合には、段違いの可能性が多く、平面視直線形、Ｌ字形及びコ字形の全てのポストカバーを用いる可能性がある。
【００４７】
図２０は、前記連結手段の他の実施形態である。本実施形態の連結手段は、下連結具２、上連結具３及び締結具４とから構成され、下連結具２には係止爪部２７，２７と第１係合部３０を有し、上連結具３には係止爪部３１，３１と第２係合部３４を有する点は共通である。前述の実施形態と異なる点は、前記下連結具２の中央上部に筒部８２を突設し、内部に螺孔８３を形成し、前記上連結具３の中央部に通孔８４を形成し、締結具４は長尺のボルト８５からなり、前記上連結具３の通孔８４に上方から貫通したボルト８５の下端部を前記下連結具２の螺孔８３に直接螺合する構造である。その他の構成は前記同様であるから、同一構成には同一符号を付してその説明は省略する。
【００４８】
図２１は、一部の前記単位パネル１の代わりにガラスパネル８６を連結し、窓付きの間仕切装置を構成するものである。このガラスパネル８６は、上横枠８７と下横枠８８を両側枠８９，８９で連結した四角形のフレームの表裏両面にガラス板９０，９０を貼着した構造である。前記下横枠８８の下面側は、前記単位パネル１の下嵌合部１０と同じ構造の嵌合部９１を形成し、前記上横枠８７の上面側は、前記単位パネル１の上嵌合部１１と同じ構造の嵌合部９２を形成し、それぞれ上下部に単位パネル１を連結できるようになっている。また、前記側枠８９には、前記端部部材１４を取付け、側方に単位パネル１を前記同様に連結できるようになっている。
【００４９】
最後に、前記ハンギング溝２６を利用してオプションを取付ける使用例を、図２２〜図２４に基づいて簡単に説明する。図２２は、前記単位パネル１の表面に沿って化粧パネル９３を係止部材９４，…を用いて取付けた例を示している。前記係止部材９４は、円柱状の本体部９５の一端部に前記ハンギング溝２６の内部に係止する係止片９６をＬ字状に形成するとともに、他端部に縮径した嵌合軸９７を形成し、該嵌合軸９７には内部に螺孔９８を形成している。そして、上方のハンギング溝２６に前記係止部材９４の係止片９６を上向きにして係止し、下方のハンギング溝２６に前記係止部材９４の係止片９６を下向きにして係止した状態で、各係止部材９４の嵌合軸９７に前記化粧パネル９３の貫通孔９９を密嵌し、表側から止めネジ１００を前記嵌合軸９７の螺孔９８に螺合して保持する。
【００５０】
また、図２３は、前記単位パネル１の表面に沿って黒板やホワイトボード等のボード１０１を取付ける例を示している。前記ボード１０１の背面上下縁部に同一形状の支持枠１０２，１０２を互いに上下反転させて取付け、該支持枠１０２の背面に横長の係合溝１０３が形成されている。そして、上部の支持枠１０２の係合溝１０３を利用して上部係止部材１０４を取付け、下部の支持枠１０２の係合溝１０３を利用して下部係止部材１０５を取付ける。上部係止部材１０４は、ブロック状の本体部１０６の一側面に前記ハンギング溝２６に係止する係止片１０７を形成するとともに、他側面に前記係合溝１０３に回転係合する小判状の係止板１０８を形成している。前記係合溝１０３は、開口部よりも内部が上下に広がった形状となっているため、前記係止板１０８を横向きにした状態で開口部から挿入し、９０度回転させて係合溝１０３の上下縁に圧接状態で係止する。一方、前記下部係止部材１０５は、ブロック状の本体部１０９の下縁に前記ハンギング溝２６の上側の係止縁２４に弾性的に係合する係止爪１１０を形成するとともに、前面に前記同様の小判状の係止板１１１を形成し、前記同様にして下部の支持枠１０２の係合溝１０３に係止する。その状態で、上方のハンギング溝２６に上部係止部材１０４の上向き係止片１０７を係止した後、下部係止部材１０５の係止爪１１０を下方のハンギング溝２６の上側係止縁２４に弾性的に係止する。この状態のまま、ハンギング溝２６に沿ってボード１０１を横方向に移動させることも可能であるが、ボード１０１の下端を手前に引いて係止爪１１０をハンギング溝２６から外せば、簡単に上部係止部材１０４の係止片１０７もハンギング溝２６から外すことができ、所望位置まで移動させた後、同様に取付けることができる。
【００５１】
図２４は、棚板１１２を一つのハンギング溝２６を利用して保持する使用例を示している。前記棚板１１２は、複数のアルミ押し出し型材を組み合わせて構成したものであり、基端部上縁に沿って上向き係止爪１１３を設けるとともに、その下方に単位パネル１の表面に当止する当止部１１４を形成している。この場合、前記棚板１１２の手前を持ち上げた傾斜状態で、前記係止爪１１３をハンギング溝２６の上部に係止した後、水平に戻すことで係止爪１１３の下端がハンギング溝２６の下側の係止縁２４に当止するとともに、当止部１１４が下方位置の単位パネル１の表面に当止して保持される。また、前記棚板１１２の下面基部には前記当止部１１４まで延びた傾斜面１１５を有し、該傾斜面１１５に設けた開口部に照明器具１１６を取付けている。
【００５２】
次に、図２５〜図３２に基づき、本発明の第２実施形態を説明する。本実施形態も基本的には前述の第１実施形態と同じであるが、単位パネル２０１の上下嵌合部の形状と、下連結具として凸型連結具２０２、上連結具として凹型連結具２０３を用い、締結具２０４を下方の凸型連結具２０２に固定した構造とし、更に笠木を笠木ベース２０５と笠木カバー２０６で構成し、コーナーポストをＬ字状、Ｔ字状、十字状の連結にそれぞれ専用のものを用いたところに違いがある。図中符号２０１は単位パネル、２０２は凸型連結具（下連結具）、２０３は凹型連結具（上連結具）、２０４は締結具をそれぞれ示している。
【００５３】
本実施形態の積上げ式間仕切装置も、アルミ押出し型材からなる複数の単位パネル２０１，…を凸型連結具２０２、凹型連結具２０３及び締結具２０４とからなる連結手段にて上下左右に連結して所望の高さ及び長さの間仕切装置を構成する点は同じである。そして、同じくアルミ押出し型材からなる笠木ベース２０５、笠木カバー２０６及び巾木部材２０７が、直線状に連結して間仕切装置を構築するための最小構成となる。それ以外に、パネル終端面の処理のための端部カバーやＬ字状、Ｔ字状あるいは十字状に連結するための専用コーナーポスト及びポストカバー等が必要であるが、これらの構成については後述する。尚、アルミ押出し型材の代わりに、合成樹脂製の押出し型材を用いることも可能である。
【００５４】
先ず、図２５〜図３２に示すように、前記単位パネル１は、表面板２０８と裏面板２０９とが下嵌合部２１０と上嵌合部２１１及び単又は複数の連結部２１２，…で連結された中空形状であり、両側切断面において中央部に凹溝２１３を形成し、両側に切断面を覆う鍔部２１５と中央部に凹溝部２１６を設けた端部部材２１４を、該凹溝部２１６を凹溝２１３に嵌合するとともに、前記連結部２１２，…にネジ止めし、該端部部材２１４の凹溝部２１６内に下係止部２１７と上係止部２１８を形成したものである。
【００５５】
実際には、前記凹溝２１３は、下嵌合部２１０と上嵌合部２１１及び単又は複数の連結部２１２，…の中央部を切り欠いて形成する。そして、前記連結部２１２の中央部に一体形成された断面Ｃ字形の下穴２１９に前記端部部材２１４の凹溝部２１６の底部から貫通させたタッピンねじ２２０を螺合して取付ける。また、前記端部部材２１４は、図２８に示すように、前記凹溝２１３に嵌合する部分は筒状になっており、複数の単位パネル２０１，…に跨って取付ける場合に長尺になっても十分な剛性を確保しているため、前記凹溝部２１６は浅くなっている。前記前記凹溝部２１６の底面部２２１の下端部を切り欠いて前記下係止部２１７を形成するとともに、該底面部２２１の上端部を切り欠いて前記上係止部２１８を形成している。
【００５６】
そして、前記単位パネル１の下嵌合部２１０と上嵌合部２１１は、互いに凹凸嵌合してパネル面外方向の変位を規制する構造となっている。具体的には、前記下嵌合部２１０には下方へ開放した係合溝２２２，２２２を形成し、前記上嵌合部２１１には前記下嵌合部２１０の係合溝２２２に係入する上方へ突設した突部２２３，２２３を突設している。そして、前記上嵌合部２１１の突部２２３，２２３の間には、開口縁よりも内部が広がった嵌合溝２２４を形成している。更に、前記単位パネル２０１の表面板２０８と裏面板２０９の上下縁に沿って係止縁２２５，…を形成し、上下に位置する単位パネル２０１，２０１の係止縁２２５，２２５を対向させ且つその間に開口部２２６を設けて上下の単位パネル間に沿ってハンギング溝２２７を形成するようになっている。尚、前記ハンギング溝２２７は、前記係止縁２２５の他に前記下嵌合部２１０と上嵌合部２１１の一部も使用して構成され、上下の単位パネル２０１，２０１の接合線が該ハンギング溝２２７の開口部２２６の上縁に一致するように設定し、接合線が見立たないようにしている。同様に、前記笠木カバー２０６と単位パネル２０１間、前記巾木部材２０７と単位パネル２０１間にもハンギング溝２２７が形成される。
【００５７】
次に、前記単位パネル２０１，２０１を上下左右に連結する連結構造について、図２５〜図２７に基づいて具体的に説明する。本発明の場合、連結部には支柱を介在させず、共通の連結手段で上下方向の連結と左右方向（横方向）の連結を同時に実現することが特徴である。前記凸型連結具２０２は、ブロック状の金属部材であり、両側に前記下係止部２１７に下方から係止する係止爪部２２８，２２８を上部に有するとともに、上部中央部に筒部を突設して角孔２２９を形成し、更に下部に第１係合部２３０を形成している。
【００５８】
一方、前記凹型連結具２０３は、ブロック状の金属部材であり、両側に前記上係止部２１８に上方から係止する係止爪部２３１，２３１を下部に有するとともに、下部中央部に筒部を突設して角孔２３２を形成し、該角孔２３２の内部に上下貫通した通孔２３３を形成し、更に上部に第２係合部２３４を形成している。ここで、前記凸型連結具２０２の第１係合部２３０が側面視略Ｔ字形の係合凸部であり、前記凹型連結具２０３の第２係合部２３４が内部よりも開口部が狭い係合凹部であり、パネル面内方向にスライド係合してそれぞれ互いに上下変位不能に係合する構造である。ここで、前記単位パネル２０１の上嵌合部２１１の嵌合溝２２４と凹型連結具２０３の第２係合部２３４とは断面形状が略一致させている。
【００５９】
そして、前記締結具２０４は、前記凸型連結具２０２の角孔２２９と前記凹型連結具２０３の角孔２３２に上下摺動可能に嵌入する断面正方形の連結軸２３５と締結ネジ２３６，２３６とからなっている。前記連結軸２３５の下端部は、凸型連結具２０２の角孔２２９に嵌合し、側方からＣ字形のバネピン２３７を筒部と連結軸２３５に密嵌して固定する。前記連結軸２３５の上端部には、軸方向に螺孔２３８を形成してあり、上端部を前記凹型連結具２０３の角孔２３２に嵌合し、締結ネジ２３６を上方から通孔２３３に通して螺孔２３８に螺合する。ここで、前記締結具２０４は、全て両端部部材２１４，２１４の凹溝部２１６，２１６内に収容されるようになっている。
【００６０】
そして、前記単位パネル２０１，…を上下左右に連結するには、下段から上段へ順次、凸型連結具２０２、凹型連結具２０３及び締結具２０４を用いて行う。先ず、前記連結軸２３５の下端部に取付けた凸型連結具２０２の両係止爪部２２８，２２８を、左右の単位パネル２０１，２０１の端部同士、具体的にはそれぞれの端部部材２１４，２１４の鍔部２１５，２１５同士を接合し、各端部部材２１４，２１４の下係止部２１７，２１７に係止する。この際に、前記連結軸２３５は凹溝部２１６，２１６で形成される縦孔内に立起状態で位置する。それから、上方から前記凹型連結具２０３の角孔２３２内に連結軸２３５の上端部を嵌合するとともに、両係止爪部２３１，２３１を各端部部材２１４，２１４の上係止部２１８，２１８に係止し、上方から締結ネジ２３６を通孔２３３を通して挿入し、前記連結軸２３５の螺孔２３８に螺合する。この締結ネジ２３６を締め付けることにより、凸型連結具２０２と凹型連結具２０３を引き付けるとともに、前記係止爪部２２８，２２８及び係止爪部２３１，２３１の傾斜を利用して左右の単位パネル２０１，２０１を引き寄せて連結するのである。
【００６１】
ここで、前記端部部材２１４の一方の鍔部２１５には、凹溝部２１６の開口部に沿って突条２１５Ａを形成するととともに、他方の鍔部２１５には、凹溝部２１６の開口部に沿って条溝２１５Ｂを形成している。そして、左右の単位パネル２０１，２０１を連結する際に、各端部部材２１４，２１４の鍔部２１５，２１５を接合すると、前記突条２１５Ａと条溝２１５Ｂが係合し、パネル面外方向への変位を規制し、正確な位置で連結することができるようになっている。
【００６２】
そして、既に左右に連結した単位パネル２０１，…の上段に単位パネル２０１，２０１を連結するには、図２５に示すように、下段の単位パネル２０１，２０１の連結に用いた凹型連結具２０３を利用する。具体的には、前記連結軸２３５の下端部に取付けた凸型連結具２０２の第１係合部２３０を、下段の連結に用いた凹型連結具２０３の第２係合部２３４にパネル面内方向からスライド係合させて立起状態に維持し、その状態で両単位パネル２０１，２０１の下嵌合部２１０を、下段の単位パネル２０１，２０１の上嵌合部２１１に載置して凹凸嵌合するとともに、各端部部材２１４，２１４の下係止部２１７，２１７を凸型連結具２０２の両係止爪部２２８，２２８に係合させる。その後は、前記同様に上方から前記凹型連結具２０３の角孔２３２内に連結軸２３５の上端部を嵌合するとともに、両係止爪部２３１，２３１を各端部部材２１４，２１４の上係止部２１８，２１８に係止し、上方から締結ネジ２３６を通孔２３３を通して挿入し、前記連結軸２３５の螺孔２３８に螺合する。すると、前記凸型連結具２０２が引き上げられ、該第１係合部２３０が下方の凹型連結具２０３の第２係合部２３４に強く係合する。この際、前記凸型連結具２０２の両係止爪部２２８，２２８が各端部部材２１４，２１４の下係止部２１７，２１７に同時に強く接触するように寸法設定することが好ましい。
【００６３】
次に、前記笠木ベース２０５及び笠木カバー２０６を最上段の単位パネル２０１の上端、巾木部材２０７を最下段の単位パネル２０１の下端にそれぞれ連結する構造を図２５、図２７〜図３２に基づいて簡単に説明する。前記笠木ベース２０５、笠木カバー２０６及び巾木部材２０７は、アルミ押出し型材から作製されており、前記単位パネル２０１の横幅に応じて適宜長さに切断される。前記笠木ベース２０５の下部の嵌合部２３９の形状は、前記単位パネル２０１の下嵌合部２１０の形状と類似し、また前記巾木部材２０７の上部の嵌合部２４０の形状は、前記単位パネル２０１の上嵌合部２１１の形状と一致している。前記笠木カバー２０６は、笠木ベース２０５を完全に覆うように上方から外嵌する。
【００６４】
前記笠木ベース２０５を最上段の単位パネル２０１の上端に取付けるには、該笠木ベース２０５の底面を貫通させたネジ２４１を前記単位パネル２０１の上嵌合部２１１に形成した嵌合溝２２４内に側端から挿入した係止部材２４２に螺合して締め付ける。具体的には、前記笠木ベース２０５の底面に、前記ネジ２４１を挿通する通孔２４３とその両側に角穴２４４，２４４を形成する。そして、前記係止部材２４２は、前記嵌合溝２２４に上方への抜止め状態でスライド係合する長方形の板片の中央部に螺孔２４５を形成するとともに、その両側に前記嵌合溝２２４から上方へ突出し、前記笠木ベース２０５の角穴２４４，２４４に嵌入する突起２４６，２４６を上方へ向けて形成している。そして、前記係止部材２４２を単位パネル２０１の嵌合溝２２４に係合した状態で、前記笠木ベース２０５の嵌合部２３９を単位パネル２０１の上嵌合部２１１に嵌合するとともに、前記係止部材２４２の突起２４６，２４６を笠木ベース２０５の角穴２４４，２４４に嵌合し、上方から通孔２４３にネジ２４１を通して係止部材２４２の螺孔２４５に螺合して取付ける。
【００６５】
また、隣接する単位パネル２０１，２０１の連結部においては、両側の笠木ベース２０５，２０５にわたる長さの連結板２４７を用いて強固に連結する。前記連結板２４７の両端部には、前記笠木ベース２０５の通孔２４３と角穴２４４，２４４とに対応させて通孔２４８と角穴２４９，２４９をそれぞれ形成している。そして、前記笠木ベース２０５の角穴２４４，２４４から上方へ突出した前記係止部材２４２の突起２４６，２４６に、前記連結板２４７の角穴２４９，２４９を嵌合した状態で、該連結板２４７の通孔２４８と笠木ベース２０５の通孔２４３を通したネジ２４１を係止部材２４２の螺孔２４５に螺合して取付ける。前記連結板２４７の両側がそれぞれ隣接する笠木ベース２０５，２０５を介して単位パネル２０１，２０１に連結される。
【００６６】
そして、前記笠木カバー２０６は、断面略コ字形であり、その凹溝内上面には断面Ｌ字形の一対の係止片２５０，２５０が平行に対向形成され、合成樹脂製の嵌合部材２５１の上部の係止板２５２を回転係合できるようになっている。前記笠木カバー２０６には、所定数の嵌合部材２５１，…を装着した状態で、前記笠木ベース２０５に上方から嵌合すると、前記嵌合部材２５１の下部に形成した脚片２５３，２５３が笠木ベース２０５の内部に弾性的に係合する。
【００６７】
前記巾木部材２０７は、両端部に前記単位パネル２０１の凹溝２１３と同様な凹溝２５４を形成し、該凹溝２５４に上段の単位パネル２０１の端部部材２１４の下方延長部を嵌合し、前記同様にネジ止めするとともに、上部の嵌合部２４０を単位パネル２０１の下嵌合部２１０に凹凸嵌合する。尚、前記巾木部材２０７には適宜アジャスター２５５を設けている。
【００６８】
ここで、本発明に係る間仕切装置は、現場で順次積上げて構築することが特徴であるが、下部は最小限の高さが必要であるので、当該巾木部材２０７と１枚〜４枚の単位パネル２０１，…を予め工場出荷時点で連結しておくことも好ましい。その場合には、長尺の前記端部部材２１４，２１４を用いて巾木部材２０７と単位パネル２０１，…を上下に連結する。あるいは、取り扱いができる程度に、複数の単位パネル２０１，…を上下に凹凸嵌合するとともに、両端の各凹溝２１３，…に亘って長尺の端部部材２１４，２１４の凹溝部２１６を嵌合し、タッピンねじ２２０で強固に連結して一体物の複合パネルを形成し、これを単位パネル２０１と同様に扱って前述のように上下左右に連結することも可能である。そして、この複合パネルを左右に連結するには、上下高さに応じた長尺の連結軸２３５を用意するだけで良く、その他の凸型連結具２０２や凹型連結具２０３は共通のものを使用できる。
【００６９】
前記笠木ベース２０５と笠木カバー２０６の端部には、合成樹脂製の笠木キャップ２５６を嵌着して端部を閉塞している。尚、前記笠木キャップ２５６のフランジ部２５７の厚さは、前記端部部材２１４の鍔部２１５の厚さの２倍とし、左右の連結部において一方の側の笠木ベース２０５と笠木カバー２０６の端部にのみ笠木キャップ２５６を嵌着し、他方の側の笠木ベース２０５と笠木カバー２０６の端面はフランジ部２５７を当接するようになっている。前記笠木キャップ２５６のフランジ部２５７から前記笠木ベース２０５に上方から嵌着する装着部２５８を延設し、またフランジ部２５７の下部には前記凹型連結具２０３を収容する凹部２５９を設けている。
【００７０】
このように複数の単位パネル２０１，…を上下左右に連結した状態は、図３２に主要部分を示している。この場合、上下の単位パネル２０１，２０１間に形成したハンギング溝２２７は左右に連続して目地部を兼ねている。また、左右の単位パネル２０１，２０１間には端部部材２１４，２１４の鍔部２１５，２１５が重なって存在している以外に何もなく、すっきりとした外観となっている。同様に、最上段の単位パネル２０１と笠木カバー２０６との間にも前記同様なハンギング溝２２７が設けられている。また、最下段の単位パネル２０１と前記巾木部材２０７との間にも前記同様なハンギング溝２２７が設けられている。そして、前記単位パネル２０１の表面板２０８と裏面板２０９、笠木カバー２０６及び巾木部材２０７の側面は、横方向に延び、上下方向に繰り返しの波形面となっており、全体として統一的な意匠を構成している。
【００７１】
図３３（ａ）は、左右方向に連結した単位パネル２０１，２０１で笠木ベース２０５を装着する前の状態を示し、図３３（ｂ）は、笠木ベース２０５を装着するとともに、連結板２４７で連結した状態を示している。図３４は、終端部に位置する単位パネル２０１の端部に平面視コ字形の端部カバー２６０を連結部材２６１を介して取付けた状態を示している。図３５は、直線状に連結する中間ポスト２６２を介して二つの単位パネル２０１，２０１を直線状に連結するとともに、段位違いで低い単位パネル２０１を中間ポスト２６２を介してＴ字状に連結した状態を示している。図３６は、二つの単位パネル２０１，２０１をコーナーポスト２６３を介してＬ字状に連結するとともに、コーナーポスト２６３を平面視Ｌ字形のポストカバー２６４で覆ったＬ字状連結状態を示している。図３７は、三つの単位パネル２０１，…をコーナーポスト２６５を介してＴ字状に連結するとともに、コーナーポスト２６５を平面視直線状のポストカバー２６６で覆ったＴ字状連結状態を示している。そして、図３８は、四つの単位パネル２０１，…をコーナーポスト２６７を介して十字状に連結した十字状連結状態を示している。
【００７２】
先ず、図３９及び図４２に基づいて、終端部の処理を説明する。前記平面視コ字形の端部カバー２６０は、前記単位パネル２０１の表面と同じ波形面を形成したアルミ押し出し型材を加工して形成したものである。前記端部カバー２６０の内側の上端部と下部とに下向きの係止部２６８，２６８を形成し、上下縁には前記単位パネル２０１の係止縁２２５と同様な端縁２６９，２６９を形成している。更に、前記端部カバー２６０の内側の上部と下端部に上向きの係止部２７０，２７０を形成し、９０度に折曲したコーナー部に係止部２７０を利用して合成樹脂製のＬ字形保形部材２７１を嵌合している。
【００７３】
前記連結部材２６１は、前記端部部材２１４と類似した断面形状を持つアルミ押し出し型材から作製し、凹溝部２７２と両側に鍔部２７３，２７３を有している。この連結部材２６１の鍔部２７３，２７３と単位パネル２０１の端部部材２１４の鍔部２１５，２１５を接合した際に、前記同様にパネル面外方向へズレないように凹凸嵌合するようにしている。そして、前記連結部材２６１の凹溝部２７２の内部の下端部に前記下係止部５９と同様な下係止部２７４を形成し、上端部に前記上係止部６０と同様な上係止部２７５を形成し、前記凸型連結具２０２、凹型連結具２０３及び締結具２０４を用いて端部部材２１４に連結部材２６１を連結できるようにしている。前記連結部材２６１の凹溝部２７２の上下部の底部に開口２７６，２７６を形成し、該開口２７６，２７６に係止具２７７を取付け、該係止具２７７の上向き係止片２７８に前記端部カバー２６０の係止部２６８，２６８を係止する。ここで、上下の端部カバー２６０，２６０の端縁２６９，２６９の間には、図４２に示すように、前記ハンギング溝２２７に連続する横溝２７９が形成される。
【００７４】
また、最上段の端部カバー２６０の上端と前記笠木カバー２０６の端部の空間部には、合成樹脂製の上端キャップ２８０を取付け、該上端キャップ２８０と最上段の端部カバー２６０の間にも前記同様な横溝２７９が形成されるようになっている。前記上端キャップ２８０の下部には前記連結部材２６１の上端部に嵌合する嵌合突起２８１を形成するとともに、連結側の一側面には爪片２８２を突設している。そして、前記上端キャップ２８０の嵌合突起２８１を連結部材２６１の上端部に嵌合した後、前記笠木ベース２０５の端部に上方から嵌合した前記笠木キャップ２５６の凹部２５９で爪片２８２を上方から当止し、更に笠木キャップ２５６の上方から笠木カバー２０６を嵌着することにより、該笠木カバー２０６の端部で笠木キャップ２５６の装着部２５８を上方から当止することから、当該笠木キャップ２５６が上方へ抜けることを防止している。また、前記単位パネル２０１を左右で高さを段違いに連結する場合もあるが、その場合には、高い方の単位パネル２０１の側端には前記連結部材２６１と端部カバー２６０を連結して端部を隠蔽する。
【００７５】
次に、図４０、図４１及び図４３に基づいて、Ｌ字状連結部の構造を説明する。前述のように、コーナーポスト２６３の隣接した二面に前述のようにそれぞれ単位パネル２０１，２０１を連結し、残りの２面の外側面に外面に平面視Ｌ字形のポストカバー２６４を取付けるようになっている。前記コーナーポスト２６３は、アルミ押し出し型材から作製し、中央部に四角形の筒部２８３を有し、その一つのコーナー部から矢印形断面のエッジ部２８４を形成し、該エッジ部２８４に対向する二つのコーナー部に断面略Ｌ字状の延長部２８５，２８５をそれぞれ形成し、エッジ部２８４と延長部２８５とで前記連結部材２６１の凹溝部２７２と同様な凹溝部２８６を形成するとともに、延長部２８５の端縁に一体形成した外側へ延びた鍔部２８７とエッジ部２８４の一面とで前記単位パネル２０１の端部部材２１４の鍔部２１５，２１５に接合するようになっている。そして、前記コーナーポスト２６３の外側二面の上下部に前記係止具２７７を嵌着する開口２８８，２８８を形成している。そして、前記コーナーポスト２６３の凹溝部２８６内の下端部と上端部にそれぞれ下係止部２８９と上係止部２９０を形成し、前記同様に凸型連結具２０２、凹型連結具２０３及び締結具２０４を用いて単位パネル２０１の端部部材２１４に連結できるようになっている。前記ポストカバー２６４は、前記端部カバー２６０と同一断面形状の型材を加工して、平面視Ｌ字形に成形したものであり、内面の上下部に係止部２６８，２６８を有する。また、前記同様に内側コーナー部に係止部２７０を利用して合成樹脂製のＬ字形保形部材２７１を嵌合して形状を維持している。
【００７６】
そして、前記コーナーポスト２６３の二対あるエッジ部２８４と鍔部２８７を有する側に単位パネル２０１の端部部材２１４を接合して前記同様に凸型連結具２０２、凹型連結具２０３及び締結具２０４にて連結する。前記コーナーポスト２６３の残りの二面の開口２８８，…にそれぞれ前記係止具２７７，…を取付け、前記ポストカバー２６４の係止部２６８を係止する。前記同様に、上下のポストカバー２６４，２６４の間には、前記ハンギング溝２２７に連続する横溝２９１が形成され、合成樹脂製の上端キャップ２９２と最上段のポストカバー２６４の間にも横溝２９１が形成されている。この場合も、前記上端キャップ２９２の下部に前記コーナーポスト２６３の上端部に嵌合する嵌合突起２９３を突設するとともに、連結側の一側面に爪片２９４を突設し、前記笠木キャップ２５６の凹部２５９で該爪片２９４を上方から当止し、抜止めを図っている。
【００７７】
また、図４４に示すように、Ｔ字状連結部においては、前述のＬ字状連結部と略同じであるが、コーナーポスト２６５は隣接する二つのコーナー部にエッジ部２８４，２８４を有し、各エッジ部２８４に隣接するコーナー部にそれぞれ前記同様の延長部２８５を形成し、またポストカバー２６６が直線状の平面視形状を有している。前記コーナーポスト２６５の二つのエッジ部２８４，２８４を有する一面と、各エッジ部２８４と隣接するコーナー部の鍔部２８７を有する二面に、それぞれ単位パネル２０１の端部部材２１４を接合して前記同様に凸型連結具２０２、凹型連結具２０３及び締結具２０４にて連結する。そして、コーナーポスト２６５の外側一面に前記同様に形成した開口２８８，２８８に係止具２７７，２７７を嵌着し、直線状のポストカバー２６６の係止部２６８，２６８を係止して保持する。そして、前記同様に上下のポストカバー２６６，２６６の間には、前記ハンギング溝２２７に連続する横溝２９５が形成され、上端キャップ２９２と最上段のポストカバー２６６の間にも横溝２９５が形成されている。また、前記上端キャップ２９２の連結側三面には、それぞれ笠木ベース２０５に嵌着した笠木キャップ２５６のフランジ部２５７が当接している。
【００７８】
そして、十字状連結部の連結構造は図示しないが、この場合には前記コーナーポスト２６７の４つのコーナー部にエッジ部２８４，…を形成した構造とし、各面に単位パネル２０１，…を連結するので、前述のような端部カバーは不要である。つまり、前記コーナーポスト２６７の各エッジ部２８４，２８４に単位パネル２０１の端部部材２１４を接合して前記同様に凸型連結具２０２、凹型連結具２０３及び締結具２０４にて連結する。
【００７９】
図４５は、一部の前記単位パネル２０１の代わりにガラスパネル２９６を連結し、窓付きの間仕切装置を構成するものである。このガラスパネル２９６は、上横枠２９７と下横枠２９８を両側枠２９９，２９９で連結した四角形のフレームの表裏両面にガラス板３００，３００を貼着した構造である。前記下横枠２９８の下面側は、前記単位パネル２０１の下嵌合部２１０と同じ構造の嵌合部３０１を形成し、前記上横枠２９７の上面側は、前記単位パネル２０１の上嵌合部２１１と同じ構造の嵌合部３０２を形成し、それぞれ上下部に単位パネル２０１を連結できるようになっている。また、前記側枠２９９には、前記端部部材２１４を取付け、側方に単位パネル２０１を前記同様に連結できるようになっている。
【００８０】
そして、前記ガラスパネル２９６が端部やコーナー部に位置する場合には、ホストカバーや端部カバーも外観性の統一を図るため、表面を透明又は半透明のガラス板又は合成樹脂板で外装する。図４６及び図４７には、Ｌ字状連結部に使用するポストカバー３０３を示している。前記ポストカバー３０３は、スチール板を断面Ｌ字状に折曲したカバー基材３０４の二つの保持板３０５，３０５の内部に向けて下向きフック片３０６，…を切起し形成するとともに、各保持板３０５，３０５の外面にそれぞれ透明又は半透明のガラス板又は合成樹脂板からなる化粧板３０７，３０７を貼着し、更に上下端部に合成樹脂製の平面視Ｌ字形の保護キャップ３０８，３０８を嵌合し、貼着している。前記保護キャップ３０８によって、前記カバー基材３０４の保持板３０５，３０５と化粧板３０７，３０７の端部が隠れるとともに、前記上横枠２９７と下横枠２９８のガラス板保持部３０９の上下幅に保護キャップ３０８の鍔部３１０の上下幅を一致させているので、外観性の統一が図られる。このポストカバー３０３は、前記コーナーポスト２６３に前記係止具２７７，…を取付け、前記カバー基材３０４の下向きフック片３０６，…を該係止具２７７，…に係止して保持する。
【００８１】
図４８は、カバーの他の態様であり、図４８（ａ）は端部処理に用いる連結部材２６１に端部カバー３１１を装着した状態を示し、図４８（ｂ）は端部処理に用いる端部ポスト３１２に平面視コ字形のポストカバー３１３を装着した状態を示し、図４８（ｃ）はＴ字状連結部に用いるコーナーポスト２６５に直線状のポストカバー３１３を装着した状態を示し、図４８（ｄ）は直線状連結部又は段違いＴ字状連結部に用いる中間ポスト３１４の一対の対向面に直線状のポストカバー３１３を装着した状態を示している。これらのポストカバーは、基本的な構造は、図４６及び図４７に示したポストカバー３０３と同様であるので、同一構成には同一符号を付してその説明は省略する。
【００８２】
本実施形態の積上げ式間仕切装置において、前記ハンギング溝２２７を利用してオプションを取付ける使用例を、図４９〜図５２に基づいて簡単に説明する。図４９は、前記単位パネル２０１の表面に沿って化粧パネル３１５を係止部材３１６，…を用いて取付けた例を示している。前記係止部材３１６は、円柱状の本体部３１７の一端部に前記ハンギング溝２２７の内部に係止する係止片３１８をＬ字状に形成するとともに、他端部に縮径した嵌合軸３１９を形成し、該嵌合軸嵌合軸３１９には内部に螺孔３２０を形成している。そして、上方のハンギング溝２２７に前記係止部材３１６の係止片３１８を上向きにして係止し、下方のハンギング溝２２７に前記係止部材３１６の係止片３１８を下向きにして係止した状態で、各係止部材３１６の嵌合軸３１９に前記化粧パネル３１５の貫通孔３２１を密嵌し、表側から止めネジ３２２を前記嵌合軸３１９の螺孔３２０に螺合して保持する。
【００８３】
また、図５０は、前記単位パネル２０１の表面に沿って黒板やホワイトボード等のボード３２３を取付ける例を示している。前記ボード３２３の背面周縁部にそれぞれアルミ型材から作製した上枠３２４、下枠３２５、両側枠３２６をコーナー金具３２７，…で連結して構成した支持枠を取付け、前記上枠３２４の背面上部に突設した上向きフック片３２８を前記ハンギング溝２２７の上縁に係止するとともに、該上向きフック片３２８の基部下方に形成した係止部３２９を該ハンギング溝２２７の下縁に係止し、更に前記下枠３２５の背面下部に形成した突台３３０を単位パネル２０１の表面に当止して保持している。
【００８４】
図５１は、図５０に示したものの変形例であり、透明又は半透明のガラス板又は合成樹脂板からなる薄い表示板３３１を前記単位パネル２０１の表面に沿って保持するものである。この場合、前記表示板３３１の厚みが前記ボード３２３よりも薄いので、該表示板３３１の背面周縁又は背面上下縁にスチール板を折曲形成した保高部材３３２を貼着し、該保高部材３３２を、上枠３３３、下枠３３４、両側枠３３５をコーナー金具３３６，…で連結して構成した支持枠に前面側から嵌合し、背面からネジ止めする。そして、前記同様に前記上枠３３３の背面上部に突設した上向きフック片３３７を前記ハンギング溝２２７の上縁に係止するとともに、該上向きフック片３３７の基部下方に形成した係止部３３８を該ハンギング溝２２７の下縁に係止し、更に前記下枠３３４の背面下部に形成した下向きフック３３９を下方のハンギング溝２２７の下縁に係止して保持している。
【００８５】
図５２は、棚板３４０を一つのハンギング溝２２７を利用して保持する使用例を示している。前記棚板３４０は、前記棚板１１２と基本的には同じ構造であるが、意匠上の変更を加えたものである。本実施形態の棚板３４０は、複数のアルミ押し出し型材を組み合わせて構成したものであり、基端部上縁に沿って上向き係止爪３４１を設けるとともに、その下方に単位パネル２０１の表面に当止する側面視三角形状の当止部３４２を形成している。この場合、前記棚板３４０の手前を持ち上げた傾斜状態で、前記係止爪３４１をハンギング溝２２７の上部に係止した後、水平に戻すことで係止爪３４１の下端がハンギング溝２２７の下側の係止縁２２５に当止するとともに、当止部３４２が下方位置の単位パネル２０１の表面に当止して保持される。また、前記棚板３４０の下面基部には前記当止部３４２まで延びた傾斜面３４３を有し、該傾斜面３４３に設けた開口部に照明器具３４４を取付けている。
【図面の簡単な説明】
【００８６】
【図１】本発明の第１実施形態に係る積上げ式間仕切装置の要部の分解斜視図である。
【図２】単位パネルを上下に連結する構造を示す要部の分解斜視図である。
【図３】複数の単位パネルを上下左右に連結した状態の部分縦断正面図である。
【図４】単位パネルの端部の構造と笠木部材との関係を示す分解斜視図である。
【図５】単位パネルの端部の構造と笠木部材及び巾木部材との関係を示す分解斜視図である。
【図６】同じく単位パネルと笠木部材及び巾木部材との関係を示す縦断側面図である。
【図７】単位パネルに笠木部材を取付ける構造と笠木カバーを保持する構造を示す平面図である。
【図８】複数の単位パネルを上下左右に直線状に連結した状態の部分斜視図である。
【図９】同じく直線状連結部の部分平面図である。
【図１０】端部カバーを用いた終端部の処理構造を示す部分平面図である。
【図１１】Ｌ字状連結部の部分平面図である。
【図１２】Ｔ字状連結部の部分平面図である。
【図１３】十字状連結部の部分平面図である。
【図１４】終端部の処理構造を示す分解斜視図である。
【図１５】Ｌ字状連結部の構造を示す分解斜視図である。
【図１６】同じくコーナーポストとスペーサー及び端部カバーとの関係を示す分解斜視図である。
【図１７】終端部の斜視図である。
【図１８】Ｌ字状連結部の斜視図である。
【図１９】Ｔ字状連結部の斜視図である。
【図２０】連結手段の他の実施形態を示す要部の分解斜視図である。
【図２１】単位パネル間にガラスパネルを設ける実施形態を示し、（ａ）は一部縦断面で示した部分正面図、（ｂ）は縦断側面図である。
【図２２】ハンギング溝を利用して単位パネルの表面に沿って化粧パネルを取付けた使用例を示し、（ａ）は装着状態の部分縦断側面図、（ｂ）は係止部材の斜視図である。
【図２３】ハンギング溝を利用して単位パネルの表面に沿ってボードを取付けた使用例を示し、（ａ）は装着状態の部分縦断側面図、（ｂ）は上部係止部材の斜視図、（ｃ）は下部係止部材の斜視図である。
【図２４】ハンギング溝を利用して棚板を取付けた使用例を示す部分縦断側面図である。
【図２５】本発明の第２実施形態に係る積上げ式間仕切装置の要部の分解斜視図である。
【図２６】単位パネルを上下に連結する構造を示す要部の分解斜視図である。
【図２７】複数の単位パネルを上下左右に連結した状態の部分縦断正面図である。
【図２８】単位パネルの端部の構造と笠木ベース及び笠木カバーとの関係を示す分解斜視図である。
【図２９】単位パネルの端部の構造と笠木ベース、笠木カバー及び巾木部材との関係を示す分解斜視図である。
【図３０】同じく単位パネルと笠木ベース、笠木カバー及び巾木部材との関係を示す縦断側面図である。
【図３１】単位パネルに笠木ベースを取付ける構造と笠木カバーを保持する構造を示す平面図である。
【図３２】複数の単位パネルを上下左右に直線状に連結した状態の部分斜視図である。
【図３３】同じく直線状連結部を示し、（ａ）は笠木ベースを取付ける前の直線状連結部の部分平面図、（ｂ）は笠木ベースを取付け、連結板で連結した状態の直線状連結部の部分平面図である。
【図３４】端部カバーを用いた終端部の処理構造を示す部分平面図である。
【図３５】中間ポストを用いた直線連結部の部分平面図である。
【図３６】Ｌ字状連結部の部分平面図である。
【図３７】Ｔ字状連結部の部分平面図である。
【図３８】十字状連結部の部分平面図である。
【図３９】終端部の処理構造を示す分解斜視図である。
【図４０】Ｌ字状連結部の構造を示す分解斜視図である。
【図４１】同じくコーナーポストと端部カバーとの関係を示す分解斜視図である。
【図４２】終端部の斜視図である。
【図４３】Ｌ字状連結部の斜視図である。
【図４４】Ｔ字状連結部の斜視図である。
【図４５】単位パネル間にガラスパネルを設ける実施形態を示し、（ａ）は一部縦断面で示した部分正面図、（ｂ）は縦断側面図である。
【図４６】ガラスパネルを用いて構成する間仕切装置のＬ字状連結部に用いるポストカバーの分解斜視図である。
【図４７】同じくＴ字状連結部に用いるコーナーポストにポストカバーを装着した状態の簡略平面図である。
【図４８】ガラスパネルを用いて構成する間仕切装置のカバーの他の態様を示し、（ａ）は端部処理に用いる連結部材に端部カバーを装着した状態の簡略平面図、（ｂ）は端部処理に用いる端部ポストに平面視コ字形のポストカバーを装着した状態の簡略平面図、（ｃ）はＴ字状連結部に用いるコーナーポストに直線状のポストカバーを装着した状態の簡略平面図、（ｄ）は直線状連結部又は段違いＴ字状連結部に用いる中間ポストの一対の対向面に直線状のポストカバーを装着した状態の簡略平面図をそれぞれ示している。
【図４９】ハンギング溝を利用して単位パネルの表面に沿って化粧パネルを取付けた使用例を示し、（ａ）は装着状態の部分縦断側面図、（ｂ）は係止部材の斜視図である。
【図５０】ハンギング溝を利用して単位パネルの表面に沿ってボードを取付けた使用例を示し、（ａ）は装着状態の部分縦断側面図、（ｂ）は支持枠の斜視図である。
【図５１】ハンギング溝を利用して単位パネルの表面に沿ってガラス板を取付けた使用例を示し、（ａ）は装着状態の部分縦断側面図、（ｂ）は支持枠の斜視図である。
【図５２】ハンギング溝を利用して棚板を取付けた使用例を示す部分縦断側面図である。
【符号の説明】
【００８７】
１  単位パネル、          ２  下連結具、
３  上連結具、            ４  締結具、
５  笠木部材、            ６  笠木カバー、
７  巾木部材、            ８  表面板、
９  裏面板、              １０  下嵌合部、
１１  上嵌合部、          １２  連結部、
１３  凹溝、              １４  端部部材、
１５  鍔部、              １６  凹溝部、
１７  下係止部、          １８  上係止部、
１９  下穴、              ２０  ネジ、
２１  リブ、              ２２  係合溝、
２３  突片、              ２４  係止縁、
２５  開口部、            ２６  ハンギング溝、
２７  係止爪部、          ２８  角孔、
２９  通孔、              ３０  第１係合部、
３１  係止爪部、          ３２  角孔、
３３  通孔、              ３４  第２係合部、
３５  連結軸、            ３６  締結ネジ、
３７  螺孔、              ３８  嵌合部、
３９  嵌合部、            ４０  ネジ、
４１  係止片、            ４２  凹陥部、
４３  保持具、            ４４  凹溝、
４５  アジャスター、      ４６  笠木キャップ、
４７  フランジ部、        ４８  凹部、
４９  端部カバー、        ５０  連結部材、
５１  コーナーポスト、    ５２  スペーサー、
５３  ポストカバー、      ５４  ポストカバー、
５５  係止部、            ５６  端縁、
５７  凹溝部、            ５８  鍔部、
５９  下係止部、          ６０  上係止部、
６１  係止具、            ６２  横溝、
６３  上端キャップ、      ６４  筒部、
６５  鉤片、              ６６  凹溝部、
６７  鍔部、              ６８  下係止部、
６９  上係止部、          ７０  リブ、
７１  切欠部、            ７２  下係止部、
７３  上係止部、          ７４  接合部、
７５  鍔部、              ７６  切欠部、
７７  係止部、            ７８  横溝、
７９  上端キャップ、      ８０  横溝、
８１  上端キャップ、      ８２  筒部、
８３  螺孔、              ８４  通孔、
８５  ボルト、            ８６  ガラスパネル、
８７  上横枠、            ８８  下横枠、
８９  側枠、              ９０  ガラス板、
９１  嵌合部、            ９２  嵌合部、
９３  化粧パネル、        ９４  係止部材、
９５  本体部、            ９６  係止片、
９７  嵌合軸、            ９８  螺孔、
９９  貫通孔、            １００  ネジ、
１０１  ボード、          １０２  支持枠、
１０３  係合溝、          １０４  上部係止部材、
１０５  下部係止部材、    １０６  本体部、
１０７  係止片、          １０８  係止板、
１０９  本体部、          １１０  係止爪、
１１１  係止板、          １１２  棚板、
１１３  係止爪、          １１４  当止部、
１１５  傾斜面、          １１６  照明器具、
２０１  単位パネル、      ２０２  凸型連結具、
２０３  凹型連結具、      ２０４  締結具、
２０５  笠木ベース、      ２０６  笠木カバー、
２０７  巾木部材、        ２０８  表面板、
２０９  裏面板、          ２１０  下嵌合部、
２１１  上嵌合部、        ２１２  連結部、
２１３  凹溝、            ２１４  端部部材、
２１５  鍔部、            ２１６  凹溝部、
２１７  下係止部、        ２１８  上係止部、
２１９  下穴、            ２２０  タッピンねじ、
２２１  底面部、          ２２２  係合溝、
２２３  突部、            ２２４  嵌合溝、
２２５  係止縁、          ２２６  開口部、
２２７  ハンギング溝、    ２２８  係止爪部、
２２９  角孔、            ２３０  第１係合部、
２３１  係止爪部、        ２３２  角孔、
２３３  通孔、            ２３４  第２係合部、
２３５  連結軸、          ２３６  締結ネジ、
２３７  バネピン、        ２３８  螺孔、
２３９  嵌合部、          ２４０  嵌合部、
２４１  ネジ、            ２４２  係止部材、
２４３  通孔、            ２４４  角穴、
２４５  螺孔、            ２４６  突起、
２４７  連結板、          ２４８  通孔、
２４９  角穴、            ２５０  係止片、
２５１  嵌合部材、        ２５２  係止板、
２５３  脚片、            ２５４  凹溝、
２５５  アジャスター、    ２５６  笠木キャップ、
２５７  フランジ部、      ２５８  装着部、
２５９  凹部、            ２６０  端部カバー、
２６１  連結部材、        ２６２  中間ポスト、
２６３  コーナーポスト、  ２６４  ポストカバー、
２６５  コーナーポスト、  ２６６  ポストカバー、
２６７  コーナーポスト、  ２６８  係止部、
２６９  端縁、            ２７０  係止部、
２７１  保形部材、        ２７２  凹溝部、
２７３  鍔部、            ２７４  下係止部、
２７５  上係止部、        ２７６  開口、
２７７  係止具、          ２７８  係止片、
２７９  横溝、            ２８０  上端キャップ、
２８１  嵌合突起、        ２８２  爪片、
２８３  筒部、            ２８４  エッジ部、
２８５  延長部、          ２８６  凹溝部、
２８７  鍔部、            ２８８  開口、
２８９  下係止部、        ２９０  上係止部、
２９１  横溝、            ２９２  上端キャップ、
２９３  嵌合突起、        ２９４  爪片、
２９５  横溝、            ２９６  ガラスパネル、
２９７  上横枠、          ２９８  下横枠、
２９９  側枠、            ３００  ガラス板、
３０１  嵌合部、          ３０２  嵌合部、
３０３  ポストカバー、    ３０４  カバー基材、
３０５  保持板、          ３０６  下向きフック片、
３０７  化粧板、          ３０８  保護キャップ、
３０９  ガラス板保持部、  ３１０  鍔部、
３１１  端部カバー、      ３１２  端部ポスト、
３１３  ポストカバー、    ３１４  中間ポスト、
３１５  化粧パネル、      ３１６  係止部材、
３１７  本体部、          ３１８  係止片、
３１９  嵌合軸、          ３２０  螺孔、
３２１  貫通孔、          ３２２  ネジ、
３２３  ボード、          ３２４  上枠、
３２５  下枠、            ３２６  側枠、
３２７  コーナー金具、    ３２８  上向きフック片、
３２９  係止部、          ３３０  突台、
３３１  表示板、          ３３２  保高部材、
３３３  上枠、            ３３４  下枠、
３３５  側枠、            ３３６  コーナー金具、
３３７  上向きフック片、  ３３８  係止部、
３３９  下向きフック片、  ３４０  棚板、
３４１  係止爪、          ３４２  当止部、
３４３  傾斜面、          ３４４  照明器具。
【図１】
0005109846.tif 000002
【図２】
0005109846.tif 000003
【図３】
0005109846.tif 000004
【図４】
0005109846.tif 000005
【図５】
0005109846.tif 000006
【図６】
0005109846.tif 000007
【図７】
0005109846.tif 000008
【図８】
0005109846.tif 000009
【図９】
0005109846.tif 000010
【図１０】
0005109846.tif 000011
【図１１】
0005109846.tif 000012
【図１２】
0005109846.tif 000013
【図１３】
0005109846.tif 000014
【図１４】
0005109846.tif 000015
【図１５】
0005109846.tif 000016
【図１６】
0005109846.tif 000017
【図１７】
0005109846.tif 000018
【図１８】
0005109846.tif 000019
【図１９】
0005109846.tif 000020
【図２０】
0005109846.tif 000021
【図２１】
0005109846.tif 000022
【図２２】
0005109846.tif 000023
【図２３】
0005109846.tif 000024
【図２４】
0005109846.tif 000025
【図２５】
0005109846.tif 000026
【図２６】
0005109846.tif 000027
【図２７】
0005109846.tif 000028
【図２８】
0005109846.tif 000029
【図２９】
0005109846.tif 000030
【図３０】
0005109846.tif 000031
【図３１】
0005109846.tif 000032
【図３２】
0005109846.tif 000033
【図３３】
0005109846.tif 000034
【図３４】
0005109846.tif 000035
【図３５】
0005109846.tif 000036
【図３６】
0005109846.tif 000037
【図３７】
0005109846.tif 000038
【図３８】
0005109846.tif 000039
【図３９】
0005109846.tif 000040
【図４０】
0005109846.tif 000041
【図４１】
0005109846.tif 000042
【図４２】
0005109846.tif 000043
【図４３】
0005109846.tif 000044
【図４４】
0005109846.tif 000045
【図４５】
0005109846.tif 000046
【図４６】
0005109846.tif 000047
【図４７】
0005109846.tif 000048
【図４８】
0005109846.tif 000049
【図４９】
0005109846.tif 000050
【図５０】
0005109846.tif 000051
【図５１】
0005109846.tif 000052
【図５２】
0005109846.tif 000053